【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
パッシブ型識別タグの位置追跡のための方法であって、
監視装置を用いて、一個以上のパッシブ型識別タグを、電源およびアンテナを有するアクティブ型識別タグに割り当てるステップと、
前記監視装置を用いて、前記アクティブ型識別タグと、前記アクティブ型識別タグに割り当てられた前記一個以上のパッシブ型識別タグとの間の関連付けを、コンピュータメモリーに保存するステップと、
前記監視装置を用いて、前記アクティブ型識別タグの位置を示す一種以上の信号を受信するステップと、
前記アクティブ型識別タグがアクティブ追跡領域内で動く際に、前記監視装置を用いて、受信した一種以上の信号に基づいて前記アクティブ型識別タグの位置を追跡するステップと、
前記監視装置を用いて、前記アクティブ型識別タグに割り当てられた前記一個以上のパッシブ型識別タグの位置を、
(i) 追跡した前記アクティブ型識別タグの位置、および
(ii) 前記アクティブ型識別タグと割り当てられたパッシブ型識別タグとの間の関連付け
に基づいて追跡するステップと
を含み、
前記一個以上のパッシブ型識別タグを前記アクティブ型識別タグに割り当てるステップが、
前記アクティブ型識別タグが前記パッシブ型識別タグに近接したことを検出するのに応じて、前記パッシブ型識別タグを前記アクティブ型識別タグに割り当てるステップと、
前記パッシブ型識別タグを前記アクティブ型識別タグに割り当てた後に、前記パッシブ型識別タグに関連付けられた規定領域内に前記パッシブ型識別タグが在ることを、前記監視装置により判断するステップと、
前記規定領域内に前記パッシブ型識別タグが在ると判断したのに応じて、前記監視装置により、前記パッシブ型識別タグの関連付けを前記アクティブ型識別タグから外すステップと
を含む
ことを特徴とする、方法。
【請求項２】
前記パッシブ型識別タグを前記アクティブ型識別タグに割り当てるステップが、
前記パッシブ型識別タグに関連付けられた前記規定領域内に、前記パッシブ型識別タグがいないことを判断したのにさらに応じて、前記パッシブ型識別タグを前記アクティブ型識別タグに割り当てるステップ
を含む、請求項1に記載の方法。
【請求項３】
パッシブ型識別タグの位置追跡のための方法であって、
監視装置を用いて、一個以上のパッシブ型識別タグを、電源およびアンテナを有するアクティブ型識別タグに割り当てるステップと、
前記監視装置を用いて、前記アクティブ型識別タグと、前記アクティブ型識別タグに割り当てられた前記一個以上のパッシブ型識別タグとの間の関連付けを、コンピュータメモリーに保存するステップと、
前記監視装置を用いて、前記アクティブ型識別タグの位置を示す一種以上の信号を受信するステップと、
前記アクティブ型識別タグがアクティブ追跡領域内で動く際に、前記監視装置を用いて、受信した一種以上の信号に基づいて前記アクティブ型識別タグの位置を追跡するステップと、
前記監視装置を用いて、前記アクティブ型識別タグに割り当てられた前記一個以上のパッシブ型識別タグの位置を、
(i) 追跡した前記アクティブ型識別タグの位置、および
(ii) 前記アクティブ型識別タグと割り当てられたパッシブ型識別タグとの間の関連付け
に基づいて追跡するステップと、
前記監視装置において、前記一個以上のパッシブ型識別タグを資産に関連付けるステップと、
前記監視装置において、前記アクティブ型識別タグを懸案資産に関連付け、ここで前記懸案資産は(i) 前記資産を扱う人、および(ii) 前記資産を搬送する器物のうちのひとつ以上を含むステップと
を含み、
前記一個以上のパッシブ型識別タグを前記資産に関連付けるステップが、前記パッシブ型識別タグを、前記パッシブ型識別タグが付された器具の識別子に関連付けるステップを含み、かつ、
前記アクティブ型識別タグを前記懸案資産に関連付けるステップが、前記アクティブ型識別タグを前記懸案資産の識別子に関連付けるステップを含む
ことを特徴とする、方法。
【請求項４】
さらに
前記アクティブ型識別タグの追跡位置に対しての、前記一個以上のパッシブ型識別タグの追跡位置を、前記監視装置により表示するステップ
を含む、請求項1に記載の方法。
【請求項５】
前記一個以上のパッシブ型識別タグを前記アクティブ型識別タグに割り当てるステップが、複数のパッシブ型識別タグを前記アクティブ型識別タグに割り当てるステップを含む、請求項1に記載の方法。
【請求項６】
(i) 前記一個以上のパッシブ型識別タグ、および(ii) 前記アクティブ型識別タグのうちの一方または双方がそれぞれ、無線周波数識別（RFID）タグである、請求項1に記載の方法。
【請求項７】
(i) 前記一個以上のパッシブ型識別タグ、および(ii) 前記アクティブ型識別タグのうちの一方または双方がそれぞれ、Bluetooth(登録商標)省エネルギー（BLE）タグである、請求項1に記載の方法。
【請求項８】
識別データを保存するためのデータベースと、
前記データベースに結合する監視装置と
を含むシステムであって、
前記監視装置が一個以上の集積回路を含み、前記一個以上の集積回路が下記の
一個以上のパッシブ型識別タグを、電源およびアンテナを有するアクティブ型識別タグに割り当てることと、
前記アクティブ型識別タグと、前記アクティブ型識別タグに割り当てられた前記一個以上のパッシブ型識別タグとの間の関連付けを、前記データベースに保存することと、
前記アクティブ型識別タグの位置を示す一種以上の信号を受信することと、
前記アクティブ型識別タグが追跡領域内で動く際に、受信した一種以上の信号に基づいて前記アクティブ型識別タグの位置を追跡することと、
前記アクティブ型識別タグに割り当てられた前記一個以上のパッシブ型識別タグの位置を、
(i) 追跡した前記アクティブ型識別タグの位置、および
(ii) 前記アクティブ型識別タグと割り当てられたパッシブ型識別タグとの間の関連付け
に基づいて追跡することと
を行うように構成され、
前記一個以上の集積回路が、前記一個以上のパッシブ型識別タグを、前記アクティブ型識別タグに割り当てるにあたって、さらに、
前記アクティブ型識別タグが、前記パッシブ型識別タグの近傍に在ることを検出したことに応じて、前記パッシブ型識別タグを前記アクティブ型識別タグに割り当てるようにし、
前記パッシブ型識別タグを前記アクティブ型識別タグに割り当てた後に、前記パッシブ型識別タグに関連付けられた規定領域内に前記パッシブ型識別タグが在ることを判断し、
前記規定領域内に前記パッシブ型識別タグが在ると判断したのに応じて、前記パッシブ型識別タグの関連付けを前記アクティブ型識別タグから外す
ように構成される
ことを特徴とする、システム。
【請求項９】
前記一個以上の集積回路が、前記パッシブ型識別タグに関連付けられた前記規定領域内に、前記パッシブ型識別タグがいないことを判断したのにさらに応じて、前記パッシブ型識別タグを前記アクティブ型識別タグに割り当てるように構成される、請求項8に記載のシステム。
【請求項１０】
前記一個以上の集積回路がさらに、前記アクティブ型識別タグの追跡位置に対しての、前記一個以上のパッシブ型識別タグの追跡位置を表示するように構成される、請求項8に記載のシステム。
【請求項１１】
前記一個以上の集積回路が、複数のパッシブ型識別タグを前記アクティブ型識別タグに割り当てるように構成される、請求項8に記載のシステム。
【請求項１２】
(i) 前記一個以上のパッシブ型識別タグ、および(ii) 前記アクティブ型識別タグのうちの一方または双方がそれぞれ、無線周波数識別（RFID）タグである、請求項8に記載のシステム。
【請求項１３】
(i) 前記一個以上のパッシブ型識別タグ、および(ii) 前記アクティブ型識別タグのうちの一方または双方がそれぞれ、Bluetooth(登録商標)省エネルギー（BLE）タグである、請求項8に記載のシステム。
【請求項１４】
機械可読命令を格納する有形かつ非一過性のコンピュータ可読媒体であって、前記機械可読命令が一個以上のプロセッサにより実行されることで、前記一個以上のプロセッサに下記の
一個以上のパッシブ型識別タグを、電源およびアンテナを有するアクティブ型識別タグへ割り当てる工程と、
前記アクティブ型識別タグと、前記アクティブ型識別タグに割り当てられた前記一個以上のパッシブ型識別タグとの間の関連付けを、メモリに保存する工程と、
前記アクティブ型識別タグの位置を示す一種以上の信号を処理する工程と、
前記一種以上の信号の処理に基づいて、前記アクティブ型識別タグがアクティブ追跡領域内を動く際に、前記アクティブ型識別タグの位置を追跡する工程と、
前記アクティブ型識別タグに割り当てられた前記一個以上のパッシブ型識別タグの位置を、(i) 追跡した前記アクティブ型識別タグの位置、および(ii) 前記アクティブ型識別タグと割り当てられたパッシブ型識別タグとの間の関連付けに基づいて追跡する工程と
を行わせ、
前記機械可読命令が一個以上のプロセッサにより実行されることで前記一個以上のプロセッサに前記一個以上のパッシブ型識別タグを割り当てるにあたってさらに、
前記アクティブ型識別タグが、前記パッシブ型識別タグの近傍に在ることを検出したことに応じて、前記パッシブ型識別タグを前記アクティブ型識別タグに割り当てることと、
前記パッシブ型識別タグを前記アクティブ型識別タグに割り当てた後に、規定領域内に前記パッシブ型識別タグが在ることを判断することと、
前記規定領域内に前記一個以上のパッシブ型識別タグが在ると判断したのに応じて、前記パッシブ型識別タグの関連付けを前記アクティブ型識別タグから外すことと
を行わせる
ことを特徴とする、コンピュータ可読媒体。
【請求項１５】
一個以上のプロセッサにより実行されることで、前記一個以上のプロセッサに、
前記パッシブ型識別タグに関連付けられた前記規定領域内に、前記パッシブ型識別タグがいないことを判断したのにさらに応じて、前記パッシブ型識別タグを前記アクティブ型識別タグに割り当てること
を行わせる機械可読命令を格納する、請求項14に記載のコンピュータ可読媒体。
【請求項１６】
一個以上のプロセッサにより実行されることで、前記一個以上のプロセッサに、
複数のパッシブ型識別タグを前記アクティブ型識別タグに割り当てること
を行わせる機械可読命令を格納する、請求項14に記載のコンピュータ可読媒体。